(57)【要約】【課題】携帯端末の使用者が、面倒な操作を必要とせずに自身の健康状態の把握すること。【解決手段】携帯電話装置１００は、使用者のつば（唾液）を取得するつば（唾液）採取部１１１と、取得したつば（唾液）を解析して使用者の健康状態に関する情報を分析するストレス分析部１１３と、分析結果を表示する表示部１０３と、を有する。つば（唾液）採取部１１１は、使用者が端末を使用している間のつば（唾液）を取得することを特徴とする。【選択図】図１
2009136456.tif 000002
【特許請求の範囲】
【請求項１】
使用者の生体情報を取得する生体情報取得手段と、
取得した前記生体情報を解析して使用者の健康状態に関する情報を分析する分析手段と、
分析結果を表示する表示手段と、を有し、
前記生体情報取得手段は、使用者が端末を使用している間の生体情報を取得することを特徴とする携帯端末装置。
【請求項２】
前記生体情報は、唾液中のα−アミラーゼ活性の経時変化であることを特徴とする請求項１記載の携帯端末装置。
【請求項３】
前記経時変化は、使用者が端末を使用して通話を始めてから、通話を終了するまでの変化であり、
前記分析手段は、前記通話によるストレスを分析することを特徴とする請求項２記載の携帯端末装置。
【請求項４】
使用者が通話するために使用者の声を取得する音声取得手段を備え、
前記生体情報取得手段は、前記音声取得手段に設置されることを特徴とする請求項２又は３記載の携帯端末装置。
【請求項５】
前記生体情報は、指の脈波であることを特徴とする請求項１記載の携帯端末装置。
【請求項６】
使用者が端末を操作するためのキー操作手段を備え、
前記生体情報取得手段は、前記キー操作手段に設置されることを特徴とする請求項５記載の携帯端末装置。
【請求項７】
ネットワーク上のサーバとデータ通信するための通信手段を備え、
該通信手段は、前記分析結果の程度に応じて、前記サーバに健康状態に対する対処情報を問い合わせ、
前記表示手段は、問い合わせ結果を表示することを特徴とする請求項１から６のいずれか１項記載の携帯端末装置。
【発明の詳細な説明】
【技術分野】
【０００１】
本発明は、携帯端末装置に関し、特に、端末の使用者の健康状態を管理する携帯端末装置に関する。
【背景技術】
【０００２】
本発明に関連する技術としては、特許文献１に記載の技術がある。特許文献１は、所有者の健康状態を計測／分析し、分析結果を表示する携帯端末の発明を開示するものである。しかしながら、健康状態の計測が行われる状況について、明確な記載はない。
【特許文献１】特開２００５−０５０２５３号公報
【特許文献２】特開２００６−３４５８７０号公報
【発明の開示】
【発明が解決しようとする課題】
【０００３】
近年、社会が複雑になるにつれて、人々が受けるストレスは多種多様である。様々なストレスを受けた人々が種々の疾患にかかり、その対処法にも複雑な治療が要求されている。そのため、疾患にかかる前に発見して認知させケアを行うことが重要である。最近では、ストレスを判定する様々な方法が提案されており、例えば、特許文献２では唾液中のα−アミラーゼに着目し、経時変化で快／不快のストレスの程度を判定するストレス判定方法が提案されている。
【０００４】
また、この判定方法を用いて、ストレス判定を行う商品が発売されているが、唾液採取方法やユーザへの認知、また、その後のアフターケア等への考慮が十分でなく、健康状態の悪化の早期発見及び早期対処手段の確立が望まれている。
【０００５】
現代の核家族化した社会では重いストレス状態になるまで、健康状態についての自身での認知及び周りの認知が遅れがちであり、それを知るすべもないのが実情である。そのため、最も身近にある携帯端末装置（例えば、携帯電話装置）で使用者のストレス状態を分析し、通知するのがよい。最近の携帯電話装置では、インターネット、カメラ、ＧＰＳ等いろいろな機能が搭載されており、ユーザへの多様なサービスが可能となっている。携帯電話に搭載されている、この様々な機能を使用し、ストレス状態に応じたケア（アドバイス）を行うこと、また、ストレス状態が健康を害するレベルと判断される場合に自動的に医療機関に通知することが、求められている。
【０００６】
そこで本発明は、上記実情に鑑みて、携帯端末の使用者が、面倒な操作を必要とせずに自身の健康状態の把握することを目的とする。
【課題を解決するための手段】
【０００７】
上記目的を達成するための本発明の第１の態様は、使用者の生体情報を取得する生体情報取得手段と、取得した前記生体情報を解析して使用者の健康状態に関する情報を分析する分析手段と、分析結果を表示する表示手段と、を有し、前記生体情報取得手段は、使用者が端末を使用している間の生体情報を取得することを特徴とする携帯端末装置である。
【発明の効果】
【０００８】
本発明によれば、携帯端末の使用者が、面倒な操作を必要とせずに自身の健康状態の把握することが可能となる。
【発明を実施するための最良の形態】
【０００９】
（第１の実施形態）
以下、本発明の好適な実施の形態について図面を参照して説明する。
図１は、本実施形態に係る携帯電話装置１００の構成を示すブロック図である。携帯電話１００は、以下に説明するように、ストレス分析機能を備える。
【００１０】
図１において、携帯電話装置１００は、携帯電話装置１００の基地局より送信される情報を受信する無線部１０１とアンテナ１０２の他、表示部１０３、キー操作部１０４、メモリ部１０５、制御部１０６、スピーカ部１０７、ＧＰＳ部１０８、を備え、更に、使用者のつば（唾液）を採取するつば（唾液）採取部１１１、使用者の唾液中のα−アミラーゼ活性の経時変化を計測するセンサ部１１２、計測した結果を分析するストレス分析部１１３を備える。ここで、制御部１０６は、無線部１０１と表示部１０３と操作部４とメモリ部１０５とスピーカ部１０７とＧＰＳ部１０８とつば（唾液）採取部１１１とセンサ部１１２とストレス分析部１１３を制御する。
【００１１】
図１に示す携帯電話装置１００の動作について図面を参照して説明する。図２は、本実施形態のストレス分析機能を備えた携帯電話装置におけるストレス分析処理のフローチャートである。また、図３は、本実施形態のストレス分析機能を備えた携帯電話装置におけるストレス分析結果表示処理のフローチャートである。図４は、ストレス改善のためのケア／アドバイス表示例である。図５は、ストレスのケア／アドバイスを考慮したネットワーク構成例である。図６は、ストレス分析データ表示例（１）である。図７は、ストレス分析データ表示例（２）である。図８は、本実施形態のストレス分析機能を備えた携帯電話装置のつば（唾液）採取時のイメージ図である。
【００１２】
図２を参照して携帯電話装置１００のストレス分析処理を説明する。まず、携帯電話装置１００の通話が開始されると、つば（唾液）採取部１１１及びセンサ部１１２がＯＮとなり（ステップＳ２０１）、つば（唾液）採取部１１１及びセンサ部１１２は、つば（唾液）採取を試みる（採取時のイメージは、図８を参照）。制御部１０６は、唾液が採取されたか否かを判定する（ステップＳ２０２）。
【００１３】
ここで、通話終了（ステップＳ２０３）となった場合は、つば（唾液）採取部１１１及びセンサ部１１２をＯＦＦ（ステップＳ２０４）にして終了する。唾液が採取できた場合は、センサ部１１２がα−アミラーゼ活性の経時変化を計測する（ステップＳ２０５）。
【００１４】
次に、ストレス分析部１１３で計測結果のストレス分析を行い（ステップＳ２０６）、メモリ部１０５にストレス分析結果を保存する（ステップＳ２０７）。ここで、ストレス分析結果において健康を害するようなストレス状態と判断した場合は（ステップＳ２０８）、使用者に表示部１０３で警告の表示及びスピーカ部１０７で鳴動を行い（ステップＳ２０９）、ネットワークを介して病院、診療所等にメールで通知する（ステップＳ２１０）。ストレス状態が危険でない場合は、ストレス分析結果のレベルに応じ、使用者が自身のストレス状態を認識しやすいように、画面の配色、壁紙、鳴動等の変更を行う（ステップＳ２１１）。
【００１５】
図５は、ストレスのケア／アドバイスを考慮したネットワーク構成例である。携帯電話装置１００は、個人情報サーバ５０２にメモリ部１０５に保存しているストレス分析結果を、ネットワークを介して保存することができる。また、この個人情報サーバ５０２は、医療機関（病院及び診療所等）５０３からもアクセス可能である。また、携帯電話装置１００は、使用者がストレス分析結果に対するケア／アドバイスを所望した場合に、ネットワークを介してケア／アドバイス情報サーバ５０１からストレス分析結果に応じたケア／アドバイス情報を取得する。
【００１６】
次に、図３を参照して、本実施形態のストレス分析機能を備えた携帯電話装置におけるストレス分析結果表示について説明する。メモリ部１０５に保存されたストレス分析結果を読み出し、表示部１０３に表示する（ステップＳ３０１）。図６及び図７はストレス分析データの表示例である。
【００１７】
ここで、使用者がストレス分析結果に対するケア／アドバイスを要求した場合（ステップＳ３０２）、ネットワークを介しケア／アドバイス情報サーバ５０１からストレス分析結果に応じた、ケア／アドバイス情報を取得し表示部１０３で表示する（ステップＳ３０３）。次に、ケア／アドバイスの詳細情報を要求した場合（ステップＳ３０４）、ＧＰＳ部１０８で自身の位置情報を測定しケア／アドバイス情報サーバ５０１に位置情報を送信することで（ステップＳ３０５）、更に詳細なケア／アドバイス情報を取得し、表示部１０３で表示する（ステップＳ３０６）。
【００１８】
図４はストレス改善の為のケア／アドバイス表示例である。これにより、使用者は自身のストレス状態レベルを認識し、ストレス改善のための行動を起こすことが可能となる。本実施形態においては、使用者が通話中に声を発する際に出るつば（唾液）を採取し、その唾液から快／不快のストレス度合いを分析するため、本実施形態によれば、使用者は、面倒な操作を必要とせずに自身の健康状態の把握が可能になる。
【００１９】
また、本実施形態は、図５を参照して説明したように、携帯電話装置の使用者のみならず、医療機関５０３も使用者の健康状態の把握を可能にする。
【００２０】
また、本実施形態は、図８のつば（唾液）採取時のイメージで示したように、携帯電話装置が使用者の声を拾う部分、すなわち、音声取得部に、つば（唾液）取得部１１１を設置している。そのため、本実施形態によれば、使用者が特に意識しなくても、通話中に使用者がマイクに向かって声を発する際に出るつば（唾液）を効率良く採取することができる。
【００２１】
（第２の実施形態）
次に、本発明の他の実施形態について図面を参照して説明する。
図９は本実施形態における脈波計測によるストレス分析機能を備えた携帯電話装置１００ａを示すブロック構成図である。図１０は本実施形態の脈波計測によるストレス分析機能を備えた携帯電話装置１００ａにおけるストレス解析処理のフローチャートである。図１１は本実施形態の脈波計測によるストレス分析機能を備えた携帯電話装置１００ａの概略的な外観図であり、脈波計測時のイメージを示す。
【００２２】
図９において、本実施形態に係る携帯電話装置１００ａは、図１に示した携帯電話装置１００と、使用者の脈波を計測する脈波計測部９０１を備える点で、特に異なる。なお、図１とほぼ同一の構成の部位には同一の符号を付し、重複して説明しない。また、ストレス分析部１１３は、脈波計測部９０１が計測した結果を分析する。また、制御部１０６は、脈波計測部９０１も制御する。
【００２３】
図１０は本発明の脈波計測によるストレス分析機能を備えた携帯電話装置１００ａにおけるストレス解析処理のフローチャートである。図１０を参照して、本実施形態のストレス解析処理について説明する。なお、以下の図１０の説明について、図２とほぼ同一の動作には同一の符号を付す。
【００２４】
図１０において、まず、携帯電話装置の操作部のキー操作が行われると、脈波計測部９０１をＯＮし（ステップＳ１００１）、脈波が検出されたかどうかを判定する（ステップＳ１００２）。ここで、脈波が検出されず、キー操作が終了した場合は（ステップＳ１００３）、脈波計測部９０１をＯＦＦ（ステップＳ１００４）にして終了する。
【００２５】
脈波が計測できた場合は、ストレス分析部１１３で計測結果のストレス分析を行い（ステップＳ２０６）、メモリ部１０５にストレス分析結果を保存する（ステップＳ２０７）。ここで、ストレス分析結果において健康を害するようなストレス状態と判断した場合は（ステップＳ２０８）、表示部１０３で警告の表示及びスピーカ部１０７で鳴動を行い（ステップＳ２０９）、ネットワークを介して病院、診療所等にメールで通知する（ステップＳ２１０）。ストレス状態が危険でない場合は、ストレス分析結果のレベルに応じ、画面の配色、壁紙、鳴動等の変更を行う（ステップＳ２１１）。
【００２６】
なお、この第２の実施形態においても、ストレス分析結果の表示動作（図３参照）は、前述した第１の実施形態と同じである。また、図５のストレスのケア／アドバイスを考慮したネットワーク構成例、図４のストレス改善の為のケア／アドバイス表示例、図６のストレス分析データ表示例（１）、図７のストレス分析データ表示例（２）についても、同様である。
【００２７】
また、本実施形態は、図１１の脈波計測時のイメージで示したように、使用者が携帯電話装置を操作するためのデバイスであるキー操作部１０４に、脈波計測部９０１を設置している。そのため、本実施形態によれば、使用者が特に意識しなくても、使用者が携帯電話装置を操作している間に操作する指から指の脈波を効率良く計測することができる。
【００２８】
以上、本発明の好適な実施の形態について説明したが、本発明はこれに限定されるものではなく、要旨を逸脱しない範囲内で種々の変形実施が可能である。
【図面の簡単な説明】
【００２９】
【図１】本発明の実施形態に係る携帯電話装置の構成を示すブロック図である。
【図２】本発明の実施形態に係る携帯電話装置におけるストレス分析処理のフローチャートである。
【図３】本発明の実施形態に係る携帯電話装置におけるストレス分析結果表示のフローチャートである。
【図４】本実施形態のストレス改善の為のケア／アドバイス表示例を示す図である。
【図５】本実施形態のストレスのケアを考慮したネットワーク構成例を示す図である。
【図６】本実施形態のストレス分析データの表示例（１）を示す図である。
【図７】本実施形態のストレス分析データの表示例（２）を示す図である。
【図８】本実施形態のつば（唾液）採取時のイメージを示す図である。
【図９】本発明の他の実施形態における脈波計測によるストレス分析機能を備えた携帯電話装置を示すブロック構成図である。
【図１０】本発明の他の実施形態の脈波計測によるストレス分析機能を備えた携帯電話装置におけるストレス解析処理のフローチャートである。
【図１１】本発明の他の実施形態の脈波計測によるストレス分析機能を備えた携帯電話装置の概略的な外観図である。
【符号の説明】
【００３０】
１００、１００ａ    携帯電話装置
１０１    無線部
１０２    アンテナ
１０３    表示部
１０４    キー操作部
１０５    メモリ部
１０６    制御部
１０７    スピーカ部
１０８    ＧＰＳ部
１１１    つば（唾液）採取部
１１２    センサ部
１１３    ストレス分析部
５０１    ケア／アドバイス情報サーバ
５０２    個人情報サーバ
５０３    医療機関
９０１    脈波検出部
【図１】
2009136456.tif 000003
【図２】
2009136456.tif 000004
【図３】
2009136456.tif 000005
【図４】
2009136456.tif 000006
【図５】
2009136456.tif 000007
【図６】
2009136456.tif 000008
【図７】
2009136456.tif 000009
【図８】
2009136456.tif 000010
【図９】
2009136456.tif 000011
【図１０】
2009136456.tif 000012
【図１１】
2009136456.tif 000013